(57)【要約】【課題】樹脂部材間の摩擦接合時に作業工数を増やすことなく、ケース内外へのバリのはみ出しを抑えることができる電動オイルポンプ装置を提供する。【解決手段】摩擦接合部１８に配置されるモータハウジング２６の環状溝２３の軸方向に延びる壁部２４，２５は、内周側（径方向内側）壁部２４が外周側（径方向外側）壁部２５より高く形成されている。そして、環状壁としての壁部２４，２５と蓋２７の摺接突部２２との間に形成される軸方向の隙間内に、溶着面２８からはみ出したバリが収容される。また、蓋２７は、摩擦接合部１８の内周側壁部２４と蓋２７の摺接突部２２との間に形成される径方向の隙間２９が径方向外側から内側に向かって狭くなるように傾斜している。そして、この隙間２９内に溶着面２８からはみ出し壁面沿いにせり上がったバリが収容される。【選択図】図２
2013122234.tif 000002
【特許請求の範囲】
【請求項１】
オイルポンプと、
前記オイルポンプの中心軸方向に隣接して設けられ、前記オイルポンプを回転駆動する電動モータと、
前記中心軸方向に前記電動モータに隣接して設けられ、前記電動モータを駆動制御するコントローラと、を備え、
前記電動モータおよび前記コントーラを収容する開口部を備えたケースと、前記開口部を覆う蓋との間に環状の摩擦接合部を形成する電動オイルポンプ装置において、
前記摩擦接合部は、軸方向に延出した内周側および外周側の壁部を有する溝部と、前記溝部に摺接する突部とにより構成され、
前記壁部は、内周側が外周側より高く形成されていることを特徴とする電動オイルポンプ装置。
【請求項２】
請求項１に記載の電動オイルポンプ装置において、
前記溝部の前記内周側の壁部と、前記溝部に対向する前記突部との間に形成される径方向の隙間は、径方向内側に向かって狭くなるように傾斜していることを特徴とする電動オイルポンプ装置。
【請求項３】
オイルポンプを回転駆動する電動モータおよび前記電動モータを駆動制御するコントローラを収容する開口部を備えたケースと、前記開口部を覆う蓋と、の間に環状の摩擦接合部を形成する電動オイルポンプ装置の製造方法において、
前記蓋の外周側に円筒状の治具を同心的に設けるとともに前記蓋に嵌め合わせ、前記蓋と前記円筒状の治具との間の全周に所定のクリアランスを形成した後に、前記環状の摩擦溶接部を形成することを特徴とする電動オイルポンプ装置の製造方法。
【発明の詳細な説明】
【技術分野】
【０００１】
本発明は、電動オイルポンプ装置およびその製造方法に関するものである。
【背景技術】
【０００２】
従来、電動オイルポンプ装置の具体的一例には、流体（油）を循環させるオイルポンプとオイルポンプを駆動する電動モータとを組み合わせたものがある。また、この電動オイルポンプ装置には、オイルポンプの中心軸方向に電動モータと、電動モータに隣接して中心軸方向にモータ制御用のコントローラを設けるようにしたものや、さらに、共通のハウジング内に電動モータとコントローラが一体に組み込まれたものが提案されている（例えば、特許文献１または特許文献２参照）。
【先行技術文献】
【特許文献】
【０００３】
【特許文献１】特開２００６−２７４９２１号公報
【特許文献２】特開２０１０−１１６９１４号公報
【発明の概要】
【発明が解決しようとする課題】
【０００４】
上記のような電動モータと電動モータを駆動するコントローラの制御基板とを収容するケースと、そのケースの開口部を覆う蓋とがともに樹脂で形成され、これらの樹脂体同士を接合する方法として、例えば、スピン溶着が用いられている。しかしながら、ケースと蓋との接触面に生じる摩擦熱を利用して接合するとき、溶融した樹脂が治具の押圧力によって押し出されることなどにより、接合部からケースの内外にはみ出しバリが発生する場合がある。このため、バリをケースの内外に出さないように切削加工やエアーブローなどにより除去する工程が必要となり、作業工数が増える。さらに、バリがケース内の電動モータやコントローラ内部に侵入すると構造上除去できないので、制御基板や他の部材に悪影響を与える場合がある。
【０００５】
本発明は、上記課題を解決するためになされたものであり、その目的は、樹脂部材間の摩擦接合時に作業工数を増やすことなく、ケース内外へのバリのはみ出しを抑えることができる電動オイルポンプ装置およびその製造方法を提供することにある。
【課題を解決するための手段】
【０００６】
上記課題を解決するために、請求項１に記載の発明は、オイルポンプと、前記オイルポンプの中心軸方向に隣接して設けられ、前記オイルポンプを回転駆動する電動モータと、前記中心軸方向に前記電動モータに隣接して設けられ、前記電動モータを駆動制御するコントローラと、を備え、前記電動モータおよび前記コントーラを収容する開口部を備えたケースと、前記開口部を覆う蓋との間に環状の摩擦接合部を形成する電動オイルポンプ装置において、前記摩擦接合部は、軸方向に延出した内周側および外周側の壁部を有する溝部と、前記溝部に摺接する突部とにより構成され、前記壁部は、内周側が外周側より高く形成されていることを要旨とする。
【０００７】
上記構成によれば、オイルポンプに隣接して、電動モータおよびコントローラが並んで配置された電動オイルポンプ装置において、電動モータおよびコントローラを収容するケースの開口部と、蓋との間に環状の摩擦接合部が形成されている。摩擦接合は、環状の溝部と、溝部に対応する環状の突部とから構成される。このとき、溝部の両側の軸方向に延びる壁部は、内周側（径方向内側）が外周側（径方向外側）より高く形成されている。これにより、溝部と突部との溶着面から溶融生成されるバリは、内周側の壁部の隙間に沿って収容されるので、ケース内に侵入しない。この結果、バリが電動モータやコントローラの動作に悪影響を与えることを防止できる。
【０００８】
請求項２に記載の発明は、請求項１に記載の電動オイルポンプ装置において、前記溝部の前記内周側の壁部と、前記溝部に対向する前記突部との間に形成される径方向の隙間は、径方向内側に向かって狭くなるように傾斜していることを要旨とする。
【０００９】
上記構成によれば、溝部の内周側の壁部と、溝部に対向する突部との間に形成される隙間は、径方向外側から内側に向かって狭くなるように傾斜して設けられている。これにより、この隙間は、ケース内側（出口）の方が狭くなっているので、例えば、バリの発生量や移動速度が増加しても、溶着面からはみ出し壁面沿いにせり上がったバリを隙間内に収容することができる。この結果、バリが内周側の壁部を乗り越えてケース内に飛び出すことをより確実に防止できる。
【００１０】
請求項３に記載の発明は、オイルポンプと、オイルポンプを回転駆動する電動モータおよび前記電動モータを駆動制御するコントローラを収容する開口部を備えたケースと、前記開口部を覆う蓋と、の間に環状の摩擦接合部を形成する電動オイルポンプ装置の製造方法において、前記蓋の外周側に円筒状の治具を同心的に設けるとともに前記蓋に嵌め合わせ、前記蓋と前記円筒状の治具との間の全周に所定のクリアランスを形成した後に、前記環状の摩擦溶接部を形成することを要旨とする。
【００１１】
上記構成によれば、蓋の外周側に円筒状の治具を同心に嵌合させて、蓋と治具との間の全周に所定の隙間（クリアランス）を持たせケースと蓋との間に摩擦接合部を形成する。このとき、溶着面からはみ出し隙間に流出したバリは、治具の内周面で押圧されケースと蓋の外周面に固着する。これにより、溶融した樹脂の外部への流出を抑制し、バリの落下も防止できる。また、径方向へのはみ出し量を所定量以下に抑えることができる。
【発明の効果】
【００１２】
本発明によれば、樹脂部材間の摩擦接合時に作業工数を増やすことなく、ケース内外へのバリのはみ出しを抑えることができる電動オイルポンプ装置およびその製造方法を提供できる。
【図面の簡単な説明】
【００１３】
【図１】本発明の一実施形態に係る電動オイルポンプ装置の要部を示す軸方向の部分断面図。
【図２】図１におけるモータハウジングと蓋との摩擦接合部分を示す概略断面図。
【図３】図１における矢印Ａ方向から見た正面図。
【図４】他の実施形態に係る蓋と治具との嵌合状態を示す図。
【図５】他の実施形態におけるモータハウジングと蓋との摩擦接合部分を示す概略断面図。
【発明を実施するための形態】
【００１４】
次に、本発明の一実施形態に係る電動オイルポンプ装置について、図に基づいて説明する。
図１は、本発明の一実施形態に係る電動オイルポンプ装置の要部を示す軸方向の部分断面図である。図１に示すように、電動オイルポンプ装置１は、自動車のトランスミッション用油圧ポンプとして用いられ、オイルポンプ（例えば、内接ギヤポンプ）２とオイルポンプ２に隣接してオイルポンプ２を回転駆動する電動モータ３とがハウジング内にユニット化（一体化）されている。また、コントローラ４もハウジング内に組み込まれている。なお、図１に示す電動モータ（以下、ブラシレスモータという）３は、３相巻線を有するブラシレスセンサレスモータである。
【００１５】
オイルポンプ２は、ここではトロコイド曲線型ポンプを用いていて、トロコイド歯形を有する内歯を備えた図示しないポンプ用アウタロータ（以下、アウタロータという）の内周側に、外歯を備えた図示しないポンプ用インナロータ（以下、インナロータという）を噛み合わせ、ポンプハウジング１５内にこれらのアウタロータおよびインナロータを偏心して回転自在に配置したものである。
【００１６】
インナロータは、回転駆動軸７におけるロータ６を形成した部分より一方（図１中、左側）に寄った部分に外嵌固着されて、この回転駆動軸７とともに回転するようになっている。アウタロータは、このインナロータの外歯よりも１歯多い内歯を備え、回転駆動軸７に対して偏心した位置を中心にポンプハウジング１５内で回転自在となるように配置されている。また、インナロータは、外歯がこのアウタロータの内歯に全周の一部で噛み合うとともに、各外歯がこのアウタロータの内面に全周の各所でそれぞれほぼ内接しながら回転するようになっている。
【００１７】
したがって、ブラシレスモータ３により回転駆動軸７が回転駆動されると、このオイルポンプ２のアウタロータの内歯とインナロータの外歯との間隙の容積がこの回転駆動軸７の１回転の間に拡大と縮小を繰り返すので、これらの間隙に通じるポンププレート１４に設けられた図示しないインポートからアウトポートに向けてオイルを送り出すポンプ動作が行われることになる。
【００１８】
ブラシレスモータ３は、回転するモータ用ロータ（以下、ロータという）６と、このロータ６の外周面の外側に固定されたモータ用ステータ（以下、ステータという）５とで構成される。ロータ６は、回転駆動軸７の外周面に、例えば、複数個の図示しない永久磁石を周方向に沿って並べて配置し形成したものである。回転駆動軸７は、ブラシレスモータ３とオイルポンプ２とで共用する回転軸であり、両端部をポンプハウジング１５と保持器１７の内部に軸受１１，１２によって回転自在に軸支されている。ここで、保持器１７の貫通孔から挿入された複数のボルト２１をポンプハウジング１５にねじ止めすることにより、ブラシレスモータ３のステータ５が固定されている。本実施例では、３本のボルト２１が、軸中心に対して周方向に等間隔で配置されている。
【００１９】
ステータ５は、ロータ６の外周面の外側にわずかなエアギャップを介してステータコア９の内向きの突極(ティース)を複数配置している。このステータコア９の各ティースにはそれぞれコイル１０が巻回されている。ここで、ステータコア９の軸方向両端から、コイル１０をステータコア９から絶縁するためのインシュレータ１３が装着されている。また、ステータ５は、複数の分割されたステータコア９から構成され、各ステータコア９は、周囲を円筒状薄肉のリング８によって、締め付け固定されている。
【００２０】
コイル１０の端部は、図示しないバスバーと電気的に接続されている。インシュレータ１３は、ブラシレスモータ３の駆動端子となる３本のバスバーと一体に樹脂モールドされている。各バスバーは、インシュレータ１３の右端部から中心軸に平行に延びている。
【００２１】
ポンププレート１４およびポンプハウジング１５は、金属製の非磁性材料（例えば、アルミダイカスト）で構成される。ブラシレスモータ３およびコントローラ４を収容するモータハウジング（ケース）２６および蓋２７は、樹脂材料（例えば、ポリアミド等の熱可塑性樹脂）により形成される。電動オイルポンプ装置１の全体ハウジングは、上記ポンププレート１４，ポンプハウジング１５、モータハウジング２６、および蓋２７により構成されている。
【００２２】
モータハウジング２６と蓋２７とは、固定したモータハウジング２６に対し、蓋２７を当接した状態で回転させながら、回転による摩擦熱により両者を溶着するスピン溶着により接合される。これにより、摩擦接合部１８のシール性が確保されるとともに、モータハウジング２６内にブラシレスモータ３およびコントローラ４が密閉して収容されることで、モータハウジング２６内のコントローラ４の防水性が確保されている。
【００２３】
また、本実施形態の電動オイルポンプ装置１には、ブラシレスモータ３を制御するためのコントローラ４の制御基板（以下、基板という）１９がモータハウジング２６に取り付けられている。基板１９には、直流電源を交流に変換してブラシレスモータ３の各コイル１０に駆動電流を供給するインバータ回路と、例えば、ホール素子等のセンサが検出したポンプ部１６のアウタロータの回転位置の情報に基づいて、このインバータ回路を制御する制御回路からなる制御回路部２０が搭載されている。基板１９の両面に、コントローラ４の制御回路部２０を構成する上記インバータ回路および制御回路のマイコンやコイル、コンデンサ等の電子部品が搭載されている。
【００２４】
各コイル１０と接続されインシュレータ１３に絶縁支持されたブラシレスモータ３の駆動端子であるバスバーは、基板１９に挿通され、基板１９上の制御回路部２０に接続されている。また、モータハウジング２６の側面にはコネクタシェルがモータハウジング２６と一体に設けられ、その内部のコネクタピンが基板１９上の制御回路部２０と接続されている。
【００２５】
そして、上記構成により、基板１９によって制御された駆動電流がブラシレスモータ３の各コイル１０に供給されるようになっている。これにより、コイル１０に回転磁界が発生し、永久磁石にトルクが生じてロータ６が回転駆動される。このようにして、ポンプ部１６のインナロータが回転駆動されると、アウタロータがこれに従動して回転し、これらのアウタロータの内歯と，インナロータの外歯の間隙が拡縮を繰り返すので、インポートおよびアウトポートを通じてオイルを吸入・吐出するポンプ動作が行われる。
【００２６】
次に、図２は、図１におけるモータハウジング２６と蓋２７との摩擦接合部１８を示す概略断面図である。図２に示すモータハウジング２６は、円筒形状をしており、軸方向（図２中、右側）に開口する開口部３０の開口端には、環状溝（溝部）２３が全周にわたり形成されている。また、モータハウジング２６の開口部３０を覆う蓋２７には、上記環状溝２３に対応する環状の摺接突部（突部）２２が形成されている。モータハウジング２６および蓋２７は、ともに樹脂材料により形成されている。そして、摺接突部２２の先端と環状溝２３の底部とが当接する状態で、蓋２７を回転させながら摺接突部２２を加熱溶融させ、固定した相手部品のモータハウジング２６の環状溝２３に押し付けることで溶着され、摩擦接合部１８の溶着面２８が形成される。ここでは、この接合方法としてスピン溶着が用いられる。このとき、摩擦接合部１８において溶着面２８からはみ出した溶融生成物、すなわち、バリが発生する。
【００２７】
具体的には、摩擦接合部１８に配置されるモータハウジング２６の環状溝２３の軸方向の壁部２４，２５は、内周側（径方向内側、図２中、下側）壁部２４が外周側（径方向外側、図２中、上側）壁部２５より高く形成されている。そして、環状壁としての壁部２４，２５と蓋２７の摺接突部２２との間に形成される軸方向の隙間２９内に、溶着面２８からはみ出したバリを収容する構成になっている。また、蓋２７は、摩擦接合部１８の環状溝２３の内周側壁部２４と蓋２７の径方向端部との間に形成される隙間２９が径方向外側から内側に向かって狭くなるように傾斜している。そして、溶着面２８からはみ出し壁面沿いにせり上がるバリを、この隙間２９内に収容する構成になっている。
【００２８】
図３は、図１における矢印Ａ方向から見た正面図である。固定状態のモータハウジング２６に対して回転する（例えば、図３中、反時計回り方向）蓋２７が摺接して摩擦接合部１８が形成されている。なお、蓋２７の外面側の回転中心部には、スピン溶着時に蓋２７を回転保持するための位置決め用凸部３２が設けられている。
【００２９】
次に、図４は、他の実施形態に係る蓋と治具との嵌合状態を示す図、図５は、同じくモータハウジングと蓋との摩擦接合部分を示す概略断面図である。
図４に示すように、円筒状の金属製（例えば、ステンレス鋼）の治具３３の開口部に蓋２７が軸方向に同心上に端面から所定の位置に嵌合され吸着固定される。治具３３の軸方向長さは壁面沿いに流れ出る樹脂より十分長く、蓋２７と治具３３との径方向全周の隙間（クリアランス）３４は、スピン溶着時の樹脂のはみ出し量が所定量以下となるよう設定される（例えば、片側の隙間３４が０．５ｍｍ以下）。ここで、例えば、治具３３の側面後方に周方向に等間隔（本実施形態では６個）に設備固定用のねじ穴３６が設けられて、ボルト締結により治具３３を設備側に固定する構造になっている。
【００３０】
図５に示すように、摩擦接合部１８に配置されるモータハウジング２６の環状溝２３の軸方向の壁部２４，２５は、内周側壁部２４と外周側壁部２５とが同じ高さに形成されている。そして、環状壁としての壁部２４，２５と蓋２７の摺接突部２２との間に形成される軸方向の隙間内に、溶着面２８からはみ出した樹脂を収容する構成になっている。また、壁面沿いに外周側壁部２５と蓋２７の径方向端部との間に形成される外周側隙間３５にせり上がった樹脂は、蓋２７に固定され回転する治具３３の隙間３４に流出し、外周側壁部２５および蓋２７の外周面にバリとして固着する。さらに、蓋２７は、摩擦接合部１８の環状溝２３の内周側壁部２４と蓋２７の径方向端部との間に形成される内周側隙間２９が径方向外側から内側に向かって狭くなるように傾斜している。そして、溶着面２８からはみ出し壁面沿いにせり上がったバリは、この隙間２９内に収容される。
【００３１】
次に、上記のように構成された本実施形態である電動オイルポンプ装置１の作用および効果について説明する。
【００３２】
上記構成によれば、オイルポンプ２に隣接して、オイルポンプ２の中心軸方向にセンサレスのブラシレスモータ３およびコントローラ４が並んで配置された電動オイルポンプ装置１において、ブラシレスモータ３およびコントローラ４の制御基板１９を収容するモータハウジング２６の開口端３１に環状溝２３が形成され、モータハウジング２６の開口部３０を覆う蓋２７に、環状溝２３に対応する環状の摺接突部２２が形成されている。摺接突部２２の先端が環状溝２３の底部に当接した状態で、蓋２７を回転させる。このとき、モータハウジング２６は、回転不能に固定されている。そして、両者を摺接して相対回転させることにより、蓋２７はモータハウジング２６の溶着面２８に摩擦接合（スピン溶着）される。このとき、環状溝２３の両側の軸方向に延びる壁部２４，２５は、内周側壁部２４が外周側壁部２５より高く形成されている。また、モータハウジング２６の内周側壁部２４と、環状溝２３に対向する蓋２７の摺接突部２２との間に形成される径方向の隙間２９が径方向外側から内側に向かって狭くなるように傾斜して設けられている。
【００３３】
これにより、摺接突部２２の先端と環状溝２３の底部との摩擦熱により溶着面２８から溶融生成されるバリは、押し出されて内周側壁部２４の隙間に収容され、後処理によって除去し難いモータハウジング２６内には侵入しないので、バリがブラシレスモータ３やコントローラ４の制御基板１９の動作に悪影響を与えることを防止できる。さらに、バリの発生量や移動速度が増加しても、溶着面２８からはみ出し壁面沿いにせり上がったバリを、モータハウジング２６の径方向内側（出口）が狭くなった隙間２９内に収容することができる。この結果、バリが内周側壁部２４を乗り越えてモータハウジング２６内に飛び出すことを防止できる。また、バリを内周側に収容しやすくすることにより、モータハウジング２６の径方向外側にはみ出すことを抑えることができる。
【００３４】
さらに、他の実施形態によれば、蓋２７の外周側に円筒状の治具３３の開口部を軸方向に同心上に嵌合させ蓋２７と治具３３との径方向全周に所定の隙間（クリアランス）３４を設けてモータハウジング２６の開口端３１と蓋２７をスピン溶着させる。このとき、溶着面２８からはみ出し隙間３４に流出した樹脂は、治具３３の内周面に押圧されモータハウジング２６の外周側壁部２５および蓋２７の外周面に固着する。これにより、モータハウジング２６の溝部２３の外周側壁部２５と蓋２７との間の外周側隙間３５から樹脂の外部への流出を抑制し、バリの落下も防止できる。
【００３５】
以上のように、本実施形態によれば、樹脂部材間の摩擦接合時に作業工数を増やすことなく、モータハウジング内外へのバリのはみ出しを抑えることができる電動オイルポンプ装置およびその製造方法を提供できる。
【００３６】
以上、本発明に係る一実施形態について説明したが、本発明はさらに他の形態で実施することも可能である。
【００３７】
上記実施形態では、本発明を電動オイルポンプ装置１のモータハウジング２６と蓋２７との摩擦接合構造に具体化した。しかし、その適用部位については必ずしもこれに限るものでなく、２つの部材間を摩擦接合するものであれば、どのようなものに適用してもよい。また、固定状態にあるモータハウジング２６の開口端に対して回転する蓋２７を当接させることにより、その摩擦接合を行うこととしたが、これに限らず、摩擦接合する２つの部材は、摺接状態で相対回転させることができるものであれば、電動オイルポンプ装置以外の用途に適用してもよい。
【００３８】
また、上記実施形態では、モータハウジング２６の開口端３１に環状溝２３を形成することにより、モータハウジング２６に壁部２４，２５を有し、蓋２７に摺接突部２２を形成することとした。しかしながら、その蓋２７が重力方向下側から固定されるような場合等には、蓋２７側に環状溝を形成し、その壁部を環状壁として、モータハウジング２６側に摺接突部を形成する構成であってもよい。
【００３９】
さらに、上記実施形態では、樹脂材料同士の接着方法として、スピン溶着による場合を示したが、これに限るものでなく、熱板溶着、超音波溶着、振動溶着、赤外線溶着など、または、接着剤による接着であってもよい。さらに、上記実施形態では、モータハウジング２６および蓋２７は、ともに樹脂部材により形成されることとしたが、これに限らず、少なくともその摺接部分が樹脂であることが望ましい。そして、その摩擦接合が可能であれば、両者ともに金属部材であってもよい。同様に径方向全周に金属製の蓋２７との間に隙間３４を設けた円筒状の治具３３を用いることにより外部への溶融した金属のはみ出しを抑制することができる。
【００４０】
上記実施形態では、オイルポンプ２として内接ギヤ式ポンプを用いる場合を示したが、これに限るものでなく、ベーン駆動や外接ギヤなどを用いた回転型ポンプを適用してもよい。
【００４１】
また、上記実施形態では、ブラシレスモータ３のロータ６として、回転駆動軸７の外周部に複数個の永久磁石を配置し固着する場合を示したが、リング状の永久磁石を固着したものを用いるようにしてもよい。
【符号の説明】
【００４２】
１：電動オイルポンプ装置、２：オイルポンプ、３：ブラシレスモータ（電動モータ）、
４：コントローラ、５：モータ用ステータ、６：モータ用ロータ、７：回転駆動軸、
８：リング、９：ステータコア、１０：モータコイル、１１、１２：軸受、
１３：インシュレータ、１４：ポンププレート、１５ポンプハウジング、
１６：ポンプ部、１７：保持器、１８：摩擦接合部、１９：基板（制御基板）、
２０：制御回路部、２１：ボルト、２２：摺接突部（突部）、２３：環状溝（溝部）、
２４：内周側壁部、２５：外周側壁部、２６：モータハウジング（ケース）、
２７：蓋、２８：溶着面、２９：内周側隙間、３０：モータハウジング開口部、
３１：モータハウジング開口端、３２：蓋位置決め用凸部、３３：治具、
３４：治具側隙間（クリアランス）、３５：外周側隙間、３６：設備固定用ねじ穴
【図１】
2013122234.tif 000003
【図２】
2013122234.tif 000004
【図３】
2013122234.tif 000005
【図４】
2013122234.tif 000006
【図５】
2013122234.tif 000007